(57)【要約】【課題】  着信履歴を表示する時点で、ユーザが着信拒否したいと考えている相手先を着信拒否相手先として表示する電話装置を提供する。【解決手段】  着信履歴を表示する際に（Ｓ１０ステップ）、制御回路が着信履歴格納領域に格納されている電話番号と一致する電話番号が着信拒否相手先格納領域に格納されていると判定すると（Ｓ１１ステップ）、その電話番号を着信拒否相手先であることを示すアイコンと共に表示する（Ｓ１２ステップ）。【選択図】図５
2009049747.tif 000002
【特許請求の範囲】
【請求項１】
着信拒否相手先の情報を格納する拒否相手先格納手段と、発呼してきた相手先の情報を格納する着信履歴格納手段と、当該着信履歴格納手段に格納されている情報を表示する表示手段と、
当該表示手段に前記着信履歴格納手段に格納されている情報を表示する際に、表示する情報が前記拒否相手先格納手段に格納されている情報と一致するか否かを判定し、一致すると判定すると、表示する情報は着信拒否相手先であることを報知するように前記表示手段を制御する制御手段と、を有することを特徴とする電話装置。
【請求項２】
着信拒否相手先の電話番号を格納する拒否相手先格納手段と、発呼してきた相手先の電話番号を格納する着信履歴格納手段と、当該着信履歴格納手段に格納されている電話番号を表示する表示手段と、
当該表示手段に前記着信履歴格納手段に格納されている電話番号を表示する際に、表示する電話番号が前記拒否相手先格納手段に格納されている電話番号と一致するか否かを判定し、一致すると判定すると、表示する電話番号は着信拒否相手先であることを報知するように前記表示手段を制御する制御手段と、を有することを特徴とする電話装置。
【発明の詳細な説明】
【技術分野】
【０００１】
本発明は、着信してきた相手先の履歴を一覧表示する、所謂着信履歴機能を有する電話装置に関する。
【背景技術】
【０００２】
通常の電話装置では、着信があると着信があったことを履歴としてメモリに記憶し、着信後の待機状態においてこの履歴の一覧を表示させる機能である、所謂着信履歴機能が搭載されている。
【０００３】
この着信履歴機能は、例えばユーザが過去に電話してきた相手先に電話をかけようとする時等に使用される。具体的には、ユーザが、着信履歴の一覧を電話装置の表示部に表示させ、表示されているカーソルを移動させることにより所望の相手先を選択し、続いて発呼操作を行うことにより、所望の相手先へ発呼を行うことが可能である。
【０００４】
又、この着信履歴機能に関して様々な特許出願がなされている。例えば特許文献１には、着信拒否相手先からの着信があると着信履歴格納エリアの着信応答要因エリアに「着信拒否の要因」を格納し、着信履歴を表示する際に、表示する電話番号に対応して着信拒否の要因が格納されていれば、電話番号と共に着信拒否相手先であることを示すアイコンを表示する技術が記載されている。
【特許文献１】特開２０００−２７００７７号公報（特に段落００１１〜段落００１３、図１、図５（ａ））
【発明の開示】
【発明が解決しようとする課題】
【０００５】
しかしながら特許文献１に記載の技術では、着信履歴メモリに電話番号や氏名１件１件に対応付けて着信応答要因を格納する必要があり、例えば着信メモリに１００件の相手先の電話番号が格納されている場合には、１００件分の着信応答要因が格納されていることになる。この為、着信応答要因のデータ分だけ着信履歴メモリの容量が必要となり、装置のコスト高となるといった課題が生じる。
【０００６】
又、特許文献１に記載の技術は、着信があった際に、発呼してきた相手先とダイヤルメモリに格納されている着信拒否の相手先の比較を行ない、着信拒否の相手先からの着信である場合には、着信応答要因として着信拒否相手先であることを示す情報を着信履歴メモリに格納するものである。この為、例えばダイヤルメモリに「田中さん」という相手先に対しては「着信拒否  する／しない」を「する」に設定した状態で田中さんから着信があると、着信履歴メモリには田中さんが着信拒否相手先であることを示すデータが田中さんの電話番号に対応する着信応答要因に格納されるのだが、着信履歴に田中さんからの着信があったことを示すデータを格納した後に、ダイヤルメモリの「田中さん」に対応する「着信拒否  する／しない」を「しない」に設定すると、ダイヤルメモリでは田中さんは着信拒否相手先として登録されていないのにもかかわらず、着信履歴には、田中さんは着信拒否相手先として登録されたままとなる。この為、ユーザが着信履歴の一覧を見る際には、その時点でユーザにとって田中さんは着信拒否相手先ではないのにも係らず、田中さんの電話番号と共に着信拒否相手先であることを示すアイコンが表示される、といった不都合が生じる。
【課題を解決するための手段】
【０００７】
本発明はこのような課題を解決する為のものであり、着信履歴を表示した時点でユーザにとって真に着信拒否したい相手先について着信拒否相手先であることを報知するものである。
請求項１記載の電話装置は、着信拒否相手先の情報を格納する拒否相手先格納手段と、発呼してきた相手先の情報を格納する着信履歴格納手段と、当該着信履歴格納手段に格納されている情報を表示する表示手段と、当該表示手段に前記着信履歴格納手段に格納されている情報を表示する際に、表示する情報が前記拒否相手先格納手段に格納されている情報と一致するか否かを判定し、一致すると判定すると、表示する情報は着信拒否相手先であることを報知するように前記表示手段を制御する制御手段と、を有することを特徴とする。
【０００８】
請求項２記載の電話装置は、着信拒否相手先の電話番号を格納する拒否相手先格納手段と、発呼してきた相手先の電話番号を格納する着信履歴格納手段と、当該着信履歴格納手段に格納されている電話番号を表示する表示手段と、当該表示手段に前記着信履歴格納手段に格納されている電話番号を表示する際に、表示する電話番号が前記拒否相手先格納手段に格納されている電話番号と一致するか否かを判定し、一致すると判定すると、表示する電話番号は着信拒否相手先であることを報知するように前記表示手段を制御する制御手段と、を有することを特徴とする。
【発明の効果】
【０００９】
本発明は、着信履歴の電話番号等の情報を表示する際に、着信履歴の電話番号等の情報と、拒否相手先番号格納手段に格納されている電話番号等の情報とが一致するか否かを見て、一致する場合には、拒否相手先であることをアイコン表示等により報知することができるので、着信履歴を表示する時点で、ユーザにとって真に拒否したい相手先を着信拒否相手先として表示することが可能である。
【実施例】
【００１０】
図１は、本発明の一実施例にかかる電話装置（例えば、携帯電話機）の斜視図であり、本体１と蓋体２とがヒンジ機構により開閉自在になっている。この携帯電話機を使用する際には、蓋体２を開いてから、表示部３を見ながら各種キー４を操作することにより、ユーザは着信履歴を見ることが可能である。
【００１１】
図２は、本発明の一実施例にかかる携帯電話機の概略構成を示すブロック図である。図２に示すように、携帯電話機は、アンテナ１４と接続された通信部１３を備えている。この通信部１３は、後述のベースバンド部１０と接続されており、ベースバンド部１０からの信号を、アンテナ１４を介して基地局へ発信し、あるいはアンテナ１４を介して基地局からの電波を受信する。
【００１２】
ベースバンド部１０は、ＣＤＭＡ処理回路１１と、音声コーデック１２と、を有している。ここで、ＣＤＭＡ処理回路１１は、符号分割多元接続、スクランブル、誤り制御、タイミング検出を行う。また、音声コーデック１２は、音声を圧縮（符号化）、伸張（復号化）したり、アナログとデジタルの変換を行ったり、内部の増幅回路（図示省略）により受話音量やマイクロホンの感度を変更する。
【００１３】
また、ベースバンド部１０には、切替回路２０が接続されている。この切替回路２０には、増幅回路２１を介して第１スピーカ２２が接続されている。この第１スピーカ２２は、増幅回路２１で増幅されたベースバンド部１０の電気信号を音声に変換する。この第１スピーカ２２は、ユーザの耳にあてて通話に使用される。
【００１４】
また、切替回路２０には、増幅回路２３を介してマイクロホン２４が接続されている。このマイクロホン２４は、通話に使用され、音声を電気信号に変換する。マイクロホン２４により入力された電気信号は、増幅回路２３で増幅されてベースバンド部１０に出力される。
【００１５】
また、切替回路２０には、増幅回路２５を介して第２スピーカ２６が接続されている。この第２スピーカ２６は、増幅回路２５で増幅されたベースバンド部１０の電気信号を音声に変換する。この第２スピーカ２６は、受話音を周囲の人にも聞かせるための拡声用のスピーカである。また、第２スピーカ２６は、着信報知の鳴動も行う。なお、これらの３つの増幅回路２１，２３，２５は、ゲインを固定しており、第１スピーカ２２及び第２スピーカ２６の音量やマイクロホン２４の感度を変更することはできないようになっている。
【００１６】
この切替回路２０は、ベースバンド部１０との接続を、第１スピーカ２２用の増幅回路２１とマイクロホン２４用の増幅回路２３側にするか、あるいは拡声用の第２スピーカ２６用の増幅回路２５とマイクロホン２４用の増幅回路２３側にするかを切り替える。
【００１７】
また、通信部１３、ベースバンド部１０、切替回路２０は、それぞれ制御回路３０に接続されている。制御回路３０には、ＲＯＭ３１，ＲＡＭ３２が接続されており、ＲＯＭ３１には、制御回路３０を動作させるためのシステムプログラムが格納され、ＲＡＭ３２は、制御回路３０の動作に必要な各種情報が記憶される。
例えば、ＲＡＭ３２には、図３に示すように着信履歴を格納する為の着信履歴格納領域と、着信拒否相手先格納領域の２つの領域が存在する。着信履歴格納領域には、発呼してきた相手側の電話番号と氏名と着信日時が、複数個格納される。又、着信拒否相手先格納領域には、着信拒否したい相手先の電話番号が格納される。更に、図示していないが電話帳メモリの機能も有している。
尚、着信履歴格納領域には、電話番号と氏名が格納されているがこの氏名データは着信時に格納される。具体的には、着信があると回線から発呼側の電話番号データを受信し、受信した電話番号と、別途電話番号と氏名とが対応付けて格納された電話帳メモリ中の電話番号とが比較され、一致した場合には、電話番号に対応する氏名が電話帳メモリから着信履歴格納領域に格納される。
【００１８】
又、着信拒否相手先格納領域に格納される電話番号は、ユーザがテンキーを用いて直接入力した電話番号か、或いは着信時に受信し記憶した発呼側の電話番号を着信拒否相手先として登録した電話番号である。
【００１９】
この制御回路３０の制御により上述した切替回路２０による切り替えが行われる。また、制御回路３０によりベースバンド部１０の音声コーデック１１が制御され、音声コーデック１２により第１スピーカ２２及び第２スピーカ２６の音量やマイクロホン２４の感度が変更される。
【００２０】
この制御回路３０には、入力部４０が接続されている。入力部４０は、電話番号等の入力を行うテンキー４１と、通話の開始を操作する通話キー４２と、通話の終了を操作する切キー４３と、ＯＫキー４４と、クリアキー４５とを有している。又、本実施例においては、ユーザがこの入力部４０を操作することにより、着信履歴の表示や着信拒否相手先の設定等を行うことが可能である。
【００２１】
また、制御回路３０には、例えば液晶パネルからなるディスプレイ６０と、そのバックライトとして、例えばＬＥＤ素子５１からなる照明部６１が接続されている。このディスプレイ６０により、着信履歴の一覧等が表示される。
【００２２】
次に本実施例装置の動作について以下に説明する。図４〜図５は本実施例装置の動作を示すフロー図である。
【００２３】
図４は、着信時の動作を示すフロー図である。図４のＳ１ステップにおいて、制御回路３０は、通信部１３から着信があることを示す信号を検出すると、Ｓ２ステップへ処理を進める。
【００２４】
Ｓ２ステップでは、制御回路３０は、スピーカ２６から着信音を送出し、Ｓ３ステップへ処理を進める。尚、この着信音の鳴動は、基地局からの着信信号を受信している間鳴動される。
【００２５】
Ｓ３ステップでは、制御回路３０は、ベースバンド部１０から発呼側の電話番号データを受信したと判定すると、Ｓ４ステップへ処理を進み、そうでなければＳ５ステップへ処理を進む。
【００２６】
Ｓ４ステップでは、制御回路３０は、受信した電話番号データをＲＡＭ３２の着信履歴格納領域に着信日時と共に格納する。尚、着信日時は制御回路３０が計時している現在時刻のデータである。又、着信履歴格納領域には電話番号と氏名とが対応付けて格納されるが、制御回路３０は、着信時に受信した電話番号と電話帳メモリ（図示せず）に格納されている電話番号とを比較し、一致する電話番号が電話帳メモリに格納されていれば電話番号に対応する氏名データを電話帳メモリから読み出し、着信履歴格納領域に格納する。
【００２７】
Ｓ５ステップでは、制御回路３０は、通信部１３から着信信号があることを示す信号の検出を停止すると、Ｓ６ステップへ処理を進める。
【００２８】
Ｓ６ステップでは、制御回路３０は、スピーカ２６からの着信音の鳴動を停止させ、処理を終了する。
【００２９】
図５は、着信履歴を表示する際のフロー図である。具体的には、制御回路３０が、入力部４０から着信履歴を表示するように指示する操作があると判定した際に処理するフロー図である。
【００３０】
図５のＳ１０ステップにおいて、制御回路３０は、ディスプレイ６０にＲＡＭ３２の着信履歴格納領域に格納されている着信履歴を表示し、Ｓ１１ステップへ処理を進める。
【００３１】
Ｓ１１ステップでは、制御回路３０は、着信履歴格納領域に格納されている電話番号と一致する電話番号が前記ＲＡＭ３２の着信拒否相手先格納領域に格納されていると判定するとＳ１２ステップへ処理を進め、そうでなければ処理を終了する。
【００３２】
Ｓ１２ステップでは、制御回路３０は、ディスプレイ６０に表示されている着信拒否相手先の電話番号の欄に、着信拒否であることを示すアイコン又はメッセージ（例えば、「拒否相手先」）を同時に表示する。
【００３３】
尚、ディスプレイ６０の表示形態は例えば図６に示すようになっている。図６に示すように、ディスプレイ６０には着信履歴一覧としてＲＡＭ３２の着信履歴格納領域に格納されている相手先が複数表示される。又、カーソル７０も同時に表示され、ユーザーはこのカーソル７０を移動することにより所望の相手先を選択できる。更に、ディスプレイ６０には着信拒否相手先であることを示すアイコン８０が表示される。図６に示す例では、電話番号が「０９０１２３４５６７８」である着信に対しては着信拒否相手先であることを示すアイコン８０が表示される。
【００３４】
又、本実施例では、着信拒否相手先に対してはアイコンを表示する実施形態にしているが、着信拒否相手先の表示部分のみ他の相手先と異なる表示色で表示する構成にしても良い。
【００３５】
以上説明したように、本実施例では、着信履歴を表示する際に、着信履歴格納領域に格納されている電話番号と一致する電話番号が着信拒否相手先格納領域に格納されているか否かを比較する為に、従来技術のように、着信履歴に電話番号と拒否相手先であることを示す情報とを対応付けて格納する構成に比べ、着信履歴を表示する時点で、ユーザが真に着信拒否相手先として考えている相手先を着信拒否相手先として表示できる。
【００３６】
尚、本実施例では携帯電話を一例に挙げたが、コードレス電話や留守番電話、電話機能を搭載したファクシミリ装置等にも本願発明を適用することが可能である。
【図面の簡単な説明】
【００３７】
【図１】本発明の一実施例にかかる携帯電話機の斜視図である。
【図２】本発明の一実施例にかかる携帯電話機のブロック図である。
【図３】ＲＡＭ３２の構成を示す図である。
【図４】着信時の動作を示すフロー図である。
【図５】着信履歴を表示する際のフロー図である。
【図６】ディスプレイ６０の表示形態を示す図である。
【符号の説明】
【００３８】
１・・・・本体
２・・・・蓋体
３・・・・表示部
３２・・・ＲＡＭ
４０・・・入力部
【図１】
2009049747.tif 000003
【図２】
2009049747.tif 000004
【図３】
2009049747.tif 000005
【図４】
2009049747.tif 000006
【図５】
2009049747.tif 000007
【図６】
2009049747.tif 000008